(57)【特許請求の範囲】
【請求項１】
印鑑に、その印面を覆うようにして着脱可能に取り付けられるキャップ状の透明弾性体キャップであって、
裏面が前記印面に密着し、表面が光学部品の表面に密着可能なシート状の透明弾性体シート部と、
この透明弾性体シート部の外周部に設けられて前記印鑑の外周面に着脱可能に取り付けられる筒状の取付部と、を備え、
前記透明弾性体シート部の表面を、印面電子化装置の光学部品の表面に密着させ電子化された印影を得ることを特徴とする透明弾性体キャップ。
【請求項２】
印鑑に請求項１に記載の透明弾性体キャップを取り付けてなる透明弾性体キャップ付き印鑑を把持して、前記透明弾性体キャップの透明弾性体シート部の表面を、印面電子化装置の光学部品の表面に密着させ電子化された印影を得ることを特徴とする透明弾性体キャップ付き印鑑の使用方法。
【請求項３】
請求項１に記載の透明弾性体キャップに、当該透明弾性体キャップを覆うようにして着脱可能に取り付けられることを特徴とするキャップ状カバー。
【発明の詳細な説明】
【技術分野】
【０００１】
本発明は、印鑑の印面を光学的に読み取る際に必要となる透明弾性体キャップ、透明弾性体キャップ付き印鑑の使用方法およびキャップ状カバーに関する。
【背景技術】
【０００２】
印鑑を電子画像情報として記録する際、捺印した印影をスキャナー等で記録するのではなく、エラストマー等の透明弾性体シートを用いて直接印影を電子情報として記録する技術が知られている。
この技術の一例として特許文献１に記載の印面電子化装置が知られている。この印面電子化装置は、直角プリズムの長辺面に光源もしくは光拡散版を装着し、斜辺面に密着可能な透明弾性体シートを装着し、短辺面に相対する位置に電子式カメラを装着し、電子式カメラの出力を映像信号処理装置に接続した構成となっている。
【０００３】
このような印面電子化装置では、透明弾性体シートの表面に印鑑の印面を密着させるが、印鑑の印面に接触していない透明弾性体シートの表面に到達した光は全反射するため、この部分を電子式カメラでは白色と認識し、印面に接触（密着）している透明弾性体シートの表面に到達した光線は印面で乱反射するため、この部分を電子式カメラでは印面と同じ色と認識する。
したがって、印面の凹凸が同色の印鑑であっても、電子式カメラでは印面の凸の部分は印面の色で、印面の凹の部分は白色と見えるため、容易に凹凸の差が認識できる。
【先行技術文献】
【特許文献】
【０００４】
【特許文献１】特開２０１３−２４２８３３号公報
【発明の概要】
【発明が解決しようとする課題】
【０００５】
ところで、透明弾性体シートに傷や汚れが生じた場合や、透明弾性体シートが経年劣化を起こした場合、電子化された印影の品質が低下してしまう。
このような場合、透明弾性体シートを取り換える場合があるが、交換すべき透明弾性体シートはプリズムの表面に均一に密着しているため、当該透明弾性体シートをプリズムの表面から取り外し難い（剥し難い）という問題がある。
【０００６】
本発明は、前記事情に鑑みてなされたもので、プリズム等の光学部品の表面に透明弾性体シートを密着させておかなくても、電子化された印影をその品質を低下させることなく得ることができる透明弾性体キャップ、透明弾性体キャップ付き印鑑の使用方法およびキャップ状カバーを提供することを目的とする。
【課題を解決するための手段】
【０００７】
前記目的を達成するために、本発明の透明弾性体キャップは、印鑑に、その印面を覆うようにして着脱可能に取り付けられるものであって、
裏面が前記印面に密着し、表面が光学部品の表面に密着可能なシート状の透明弾性体シート部と、
この透明弾性体シート部の外周部に設けられて前記印鑑の外周面に着脱可能に取り付けられる筒状の取付部と、を備えたことを特徴とする。
【０００８】
ここで、光学部品としては、例えばプリズムや導光体等が挙げられるがこれに限ることはない。
【０００９】
本発明においては、印鑑に取付部によって透明弾性体キャップを取り付けておき、その透明弾性体シート部の表面を、印面電子化装置のプリズム等の光学部品の表面に密着させることによって、プリズムの表面に透明弾性体シートを密着させておかなくても、電子化された印影をその品質を低下させることなく得ることができる。
また、透明弾性体キャップの透明弾性体シート部に傷や汚れが生じた場合や、透明弾性体シート部が経年劣化を起こした場合、当該透明弾性体キャップを印鑑から取り外して、新たな透明弾性体キャップに容易に交換することができる。
【００１０】
また、本発明の透明弾性体キャップ付き印鑑の使用方法は、印鑑に透明弾性体キャップを取り付けてなる透明弾性体キャップ付き印鑑を把持して、透明弾性体シート部の表面を、印面電子化装置の光学部品の表面に密着させることを特徴とする。
【００１１】
本発明においては、透明弾性体キャップ付き印鑑を把持して、透明弾性体シート部の表面を、印面電子化装置のプリズム等の光学部品の表面に密着させるので、プリズムの表面に透明弾性体シートを密着させておかなくても、電子化された印影をその品質を低下させることなく得ることができる。
【００１２】
また、本発明のキャップ状カバーは、前記透明弾性体キャップに、当該透明弾性体キャップを覆うようにして着脱可能に取り付けられることを特徴とする。
【００１３】
本発明においては、透明弾性体キャップにキャップ状カバーを取り付けることによって、透明弾性体キャップへのごみや埃などの付着を防ぎ、再度印面を取得する際にも良好な状態で印面の画像を取得することができる。
【発明の効果】
【００１４】
本発明によれば、プリズム等の光学部品の表面に透明弾性体シートを密着させておかなくても、電子化された印影をその品質を低下させることなく得ることができる。
【図面の簡単な説明】
【００１５】
【図１】本実施の形態に係る透明弾性体キャップを印鑑に装着した状態を示す要部の断面図である。
【図２】透明弾性体キャップ付き印鑑と印面電子化装置の概略構成を示す断面図である。
【図３】本実施の形態に係るキャップ状カバーを透明弾性体キャップに取り付けた状態を示す要部の断面図である。
【発明を実施するための形態】
【００１６】
以下、図面を参照しながら、本発明の実施形態について説明する。
図１は、本実施の形態に係る透明弾性体キャップを印鑑に装着した状態を示す要部の断面図である。
印鑑１は円柱状に形成されており、その先端面（図１では下端面）に印面２が形成されている。印面２には複数の凹部２ａが形成されており、これら凹部２ａ以外の複数の凸部２ｂの先端面が印影の形状を構成するようになっている。
なお、印鑑１は円柱状に限らず、四角柱状やその他の多角形柱状、楕円柱状であってもよい。
【００１７】
印鑑１の先端部には、キャップ状の透明弾性体キャップ３が着脱可能に取り付けられている。この透明弾性体キャップ３は、伸縮性を有するエラストマーによって形成されているが、これに限ることはない。例えば、透明弾性体キャップ３は、ウレタン系、スチレン系、シリコーン系等の高分子で構成され、全光線透過率９０％以上の無色透明、かつ、デュロメーターＡ硬度０〜７０またはアスカーＣ硬度０〜８０の範囲のものを使うことが好ましい。
【００１８】
また、透明弾性体キャップ３は、透明弾性体シート部３ａと、この透明弾性体シート部３ａの外周部に当該透明弾性体シート部３ａと一体的に設けられた取付部３ｂとを備えている。
透明弾性体シート部３ａは円板状に形成された透明なシートであり、その厚さは０．１ｍｍ〜１０ｍｍとなっている。そして、この透明弾性体シート部３ａの裏面（図１において上面）に、印鑑１の印面２が着脱可能に密着するようになっている。
なお、印鑑１が四角柱状やその他の多角形柱状、楕円柱状であった場合、透明弾性体シート部３ａは、それらの形状に合わせて、四角形板状、多角形板状、楕円板状とすればよい。
【００１９】
取付部３ｂは円筒状に形成され、その内周面が印鑑１の外周面に着脱可能に密着するようになっている。つまり、取付部３ｂの内径は印鑑１の外径より若干小さくなっており、印鑑１の先端部を取付部３ｂの内側に押し込むことによって、取付部３ｂを径方向に弾性的に拡げ、その弾性復帰力によって取付部３ｂの内周面が印鑑１の外周面に密着するようになっている。
【００２０】
なお、本実施の形態では、透明弾性体シート部３ａと取付部３ｂとを一体的に形成したが別体に形成してもよい。この場合、取付部３ｂを透明弾性体シート部３ａより機械的強度の高い樹脂等で形成し、この取付部３ｂの内周面に雌ねじを形成するとともに、印鑑１の先端部の雄ねじを形成し、これらをねじ結合してもよいし、嵌合等によって結合してもよい。
また、透明弾性体シート部３ａと取付部３ｂとを別体に形成する場合、これらを機械的、または化学的に結合してもよい。
【００２１】
このような透明弾性体キャップ３は、その透明弾性体シート部３ａの裏面が印鑑１の印面２に密着するようにして、取付部３ｂが印鑑１に取り付けられて使用される。
この使用方法について図２を参照して説明する。図２は印面電子化装置１０の概略構成を示す図である。
【００２２】
印面電子化装置１０は、直角プリズム１１と、この直角プリズム１１の長辺面に設けられた光源もしくは光拡散板１２と、直角プリズム１１の短辺面に対向して配置された電子式カメラ１４と、これらを支える部品保持具１５と、電子式カメラ１４に接続されたカメラケーブル１６と、このカメラケーブル１６に接続された映像信号処理装置１７と、映像信号処理装置１７に接続された印面電子化装置通信端子１８とを備えている。
なお、光源もしくは光拡散板１２の色は白色とし、透明弾性体シート部３ａの屈折率は直角プリズム１１の屈折率とほぼ等しいものとする。
【００２３】
そして、透明弾性体キャップ３を取り付けてなる透明弾性体キャップ付き印鑑１を把持して、透明弾性体シート部３ａの表面を、印面電子化装置１０の直角プリズム１１の表面（斜辺面）１１ａに密着させる。
すると、光源もしくは光拡散板１２から出射された光線は直角プリズム１１内を進行し、透明弾性体シート部３ａに達するが、直角プリズム１１と透明弾性体シート部３ａの屈折率がほぼ等しいため、透明弾性体シート部３ａ内を直進する。
光源もしくは光拡散板１２から出射された光線が、印面２に接触していない、つまり凹部２ａに対向する透明弾性体シート部３ａの表面に到達し、この表面の法線と光線の成す角が全反射角以上であった場合、光線は１００％反射されてプリズム１１を通過し、電子式カメラ１４に到達する。
【００２４】
これに対し、光源もしくは光拡散板１２から出射された光線が、印面２に接触している、つまり凸部２ｂに接触している透明弾性体シート部３ａの表面に到達した場合、印面２と透明弾性体シート部３ａとの間に空間が無いため光線は透明弾性体シート部３ａの表面で反射することなく通過し、印面２に到達する。
印面２に到達した光線は印面２で乱反射した光線となり、その一部が直角プリズム１１内を通過し、電子式カメラ１４に到達する。
このように、印面２に接触していない透明弾性体シート部３ａの表面に到達した光は全反射するため、この部分を電子式カメラ１４では白色と認識し、印面２に接触している透明弾性体シート部３ａの表面に到達した光線は印面２で乱反射するため、この部分を電子式カメラ１４では印面と同じ色と認識する。
したがって、印面２の凹凸（凹部２ａと凸部２ｂ）が同色の印鑑１であっても、電子式カメラ１４では印面の凸部２ｂは印面２の色で、印面２の凹部２ａは白色と見えるため、容易に凹凸の差が認識できる。
【００２５】
そして、電子式カメラ１４からの出力信号は、カメラケーブル１６を通して映像信号処理装置カメラ接続端子１７ａに入力され、映像信号処理装置１７で信号処理をなされたあと、映像信号処理装置出力端子１７ｂに出力され、印面電子化装置通信端子１８に伝達される。
【００２６】
このように、本実施の形態では、印鑑１に透明弾性体キャップ３を取り付けておき、その透明弾性体シート部３ａの表面を、印面電子化装置１０の直角プリズム１１の表面１１ａに密着させることによって、直角プリズム１１の表面１１ａに透明弾性体シートを密着させておかなくても、つまり、透明弾性体シートを予め直角プリズム１１の表面１１ａに貼り付けておかなくても、電子化された印影をその品質を低下させることなく得ることができる。
また、透明弾性体キャップ３の透明弾性体シート部３ａに傷や汚れが生じたした場合や、透明弾性体シート部３ａが経年劣化を起こした場合、当該透明弾性体キャップ３を印鑑１から取り外して、新たな透明弾性体キャップ３に容易に交換することができる。
【００２７】
また、図３に示すように、印鑑１に取り付けられている透明弾性体キャップ３に、当該透明弾性体キャップ３を覆うようにして、キャップ状カバー５を着脱可能に取り付けることが好ましい。キャップ状カバー５は、筒状部５ａとこの筒状部５ａの端部に当該筒状部５ａと一体的に設けられた底部５ｂとから構成されている。そして、筒状部５ａによって、透明弾性体キャップ３の取付部３ｂが覆われ、底部５ｂによって透明弾性体キャップ３の透明弾性体シート部３ａが覆われている。
このように、透明弾性体キャップ３に防汚用のキャップ状カバー５を取り付けることで、ごみや埃などの付着を防ぎ、再度印面を取得する際にも良好な状態で印面の画像を取得することができる。
【符号の説明】
【００２８】
１  印鑑
２  印面
３  透明弾性体キャップ
３ａ  透明弾性体シート部
３ｂ  取付部
５  キャップ状カバー
１０  印面電子化装置
１１  直角プリズム（光学部品）
１１ａ  表面
【図１】
0006684098.tif 000002
【図２】
0006684098.tif 000003
【図３】
0006684098.tif 000004